(57)【要約】      （修正有）【課題】ジグザグ状に折曲された電気コード等の線状物品を結束保持するための結束具であって、家庭で調達可能な別の輪ゴムと取替えるだけで継続的に使用することができ、更に、結束作業を簡単にかつ確実に行うことができる安価な結束具を提供する。【解決手段】両端部をＵ形に折曲することによりゴム線材を２列に並列させて始端部３Ｓと終端部３Ｅを形成した輪ゴム３と、プラスチック製のベースプレート４に輪ゴムの始端部を係脱自在に係止する始端係止手段７を設けると共に、終端部を係脱自在に係止する終端係止手段８を設けた保持体２により構成され、始端係止手段は、輪ゴムの始端部における２列のゴム線材の間に挿通される挿入係止部１１と、挿入係止部の両側縁からそれぞれのゴム線材を嵌入させるように凹設された切欠き孔により構成され、終端係止手段は、輪ゴムの終端部を係止するフック片１３により構成されている。【選択図】図３
0003216975.tif 000002
【実用新案登録請求の範囲】
【請求項１】
束ねられた線状物品の外周に巻回される弾性紐手段と、前記弾性紐手段を前記巻回状態として係止保持する保持体とから成る結束具において、
前記弾性紐手段は、環状のゴム線材により形成された汎用の輪ゴム(3)から成り、一端部と他端部をＵ形に折曲することによりそれぞれゴム線材(3a)を２列に並列させた始端部(3S)と終端部(3E)を形成するように構成され、
前記保持体(2)は、プラスチック製のベースプレート(4)を備え、前記輪ゴムの始端部を係脱自在に係止する始端係止手段(7)と、前記輪ゴムの終端部を係脱自在に係止する終端係止手段(8)を設けており、
前記始端係止手段(7)は、ベースプレート(4)のプレート部分に形成され、前記輪ゴムの始端部(3S)における２列のゴム線材の間に挿通される挿入係止部(11)と、該挿入係止部の両側縁からそれぞれのゴム線材を嵌入させるように凹設された切欠き孔(12)により構成され、
前記終端係止手段(8)は、ベースプレート(4)に立設され、前記輪ゴムの終端部(3E)を係止するフック片(13)により構成されて成ることを特徴とする線条物品の結束具。
【請求項２】
前記始端係止手段(7)を構成する切欠き孔(12)は、ベースプレートを貫通する孔部(12a)と、該孔部を挿入係止部の縁部から外部に向けて開口させる出入口(12b)を備えており、前記出入口の開口寸法を前記孔部の内径寸法よりも小さく形成して成ることを特徴とする請求項１に記載の線状物品の結束具。
【請求項３】
前記保持体(2)は、線状物品の外周を巻回した輪ゴムの始端部と終端部を前記始端係止手段と終端係止手段に係止した状態で、線状物品の表面に圧接される支持面(9)をベースプレート(4)の裏面に形成しており、
前記支持面(9)から離間して配置される表示プレート(6)を前記ベースプレートに一体形成して成ることを特徴とする請求項１又は２に記載の線状物品の結束具。
【考案の詳細な説明】
【技術分野】
【０００１】
本考案は、例えばジグザグ状に折曲された電気コード等、束ねられた状態の線状物品を結束保持するための結束具に関する。
【背景技術】
【０００２】
従来、電気コードを結束保持するための結束具が提供されている。しかしながら、結束作業が煩雑であり、比較的高価である等、多くの問題がある。
【先行技術文献】
【特許文献】
【０００３】
【特許文献１】特開２０１６−１８８０９５号公報
【特許文献２】実用新案登録第３０６５０１６号公報
【考案の概要】
【考案が解決しようとする課題】
【０００４】
結束作業を容易とするためには、結束具は、束ねられた線状物品の外周に巻回される弾性紐手段と、前記弾性紐手段を前記巻回状態として係止保持する保持体により構成することが好ましい。
【０００５】
この点に関して、ゴム製の弾性紐手段にプラスチック製の保持体を結合した結束具が提供されているが、高価であるだけでなく、経年変化等によりゴム製の弾性紐手段が劣化し易く、劣化したときは結束具の全体を買換えなければならない問題がある。
【０００６】
このため、本考案は、弾性紐手段として環状のゴム線材により形成された汎用の輪ゴムを利用することが有利であることを知見し、これにより、結束具を安価に提供することが可能であり、しかも、輪ゴムが劣化したときは、ユーザが家庭で調達可能な別の輪ゴムと取替えるだけで継続的に使用することが可能であり、更には、結束作業を簡単にかつ確実に行うことができる結束具を提供する点に課題を有している。
【課題を解決するための手段】
【０００７】
そこで、上記課題を解決するために本考案が手段として構成したところは、束ねられた線状物品の外周に巻回される弾性紐手段と、前記弾性紐手段を前記巻回状態として係止保持する保持体とから成る結束具において、前記弾性紐手段は、環状のゴム線材により形成された汎用の輪ゴムから成り、一端部と他端部をＵ形に折曲することによりそれぞれゴム線材を２列に並列させた始端部と終端部を形成するように構成され、前記保持体は、プラスチック製のベースプレートを備え、前記輪ゴムの始端部を係脱自在に係止する始端係止手段と、前記輪ゴムの終端部を係脱自在に係止する終端係止手段を設けており、前記始端係止手段は、ベースプレートのプレート部分に形成され、前記輪ゴムの始端部における２列のゴム線材の間に挿通される挿入係止部と、該挿入係止部の両側縁からそれぞれのゴム線材を嵌入させるように凹設された切欠き孔により構成され、前記終端係止手段は、ベースプレートに立設され、前記輪ゴムの終端部を係止するフック片により構成されて成る点にある。
【０００８】
前記始端係止手段を構成する切欠き孔は、ベースプレートを貫通する孔部と、該孔部を挿入係止部の縁部から外部に向けて開口させる出入口を備え、前記出入口の開口寸法を前記孔部の内径寸法よりも小さく形成することが好ましい。
【０００９】
好ましい実施形態において、前記保持体は、線状物品の外周を巻回した輪ゴムの始端部と終端部を前記始端係止手段と終端係止手段に係止した状態で、線状物品の表面に圧接される支持面をベースプレートの裏面に形成しており、前記支持面から離間して配置される表示プレートを前記ベースプレートに一体形成している。
【考案の効果】
【００１０】
本考案によれば、弾性紐手段として環状のゴム線材により形成された汎用の輪ゴムを利用することにより、結束具を安価に提供することができ、しかも、輪ゴムが劣化したときは、ユーザが家庭で調達可能な別の輪ゴムと取替えるだけで継続的に使用することができ、更には、結束作業を簡単にかつ確実に行うことができるという効果がある。
【図面の簡単な説明】
【００１１】
【図１】本考案の第１実施形態に係る結束具の保持体を示し、（Ａ）は表面側の斜視図、（Ｂ）は裏面側の斜視図、（Ｃ）はＡ−Ａ断面図、（Ｄ）はＢ−Ｂ断面図である。
【図２】第１実施形態に係る結束具に関して、（Ａ）は輪ゴムの始端部を保持体の始端係止手段に係止した状態を示す斜視図、（Ｂ）は束ねられた線状物品の外周に対して保持体に係止した輪ゴムを巻回させた状態を示す斜視図である。
【図３】第１実施形態に係る結束具に関して、（Ａ）は線状物品に巻回された輪ゴムの終端部を保持体の終端係止手段に係止した結束状態を示す斜視図、（Ｂ）は輪ゴムの始端部及び終端部が保持体の始端係止手段及び終端係止手段に係止された状態を拡大して示す斜視図である。
【図４】本考案の第２実施形態に係る結束具を示し、（Ａ）は保持体の平面図、（Ｂ）はＣ−Ｃ断面図、（Ｃ）は保持体の斜視図、（Ｄ）は保持体の始端係止手段及び終端係止手段に輪ゴムの始端部及び終端部を係止する方法を示す斜視図である。
【考案を実施するための形態】
【００１２】
以下図面に基づいて本考案の好ましい実施形態を詳述する。
【００１３】
（第１実施形態）
図１ないし図３は、本考案の第１実施形態を示している。結束具は、ジグザグ状に折曲された電気コード等のような束ねられた状態の線状物品Ｍの外周に巻回される弾性紐手段１と、前記弾性紐手段１を前記巻回状態として係止保持する保持体２とから構成されており、この点は、上述した従来技術と同様であるが、本考案は、弾性紐手段１として環状のゴム線材３ａにより形成された汎用の輪ゴム３を使用する点に特徴がある。これにより、輪ゴム３は、一般家庭において通常使用されている汎用のものであるから、ユーザが簡単容易に調達できる利点がある。
【００１４】
汎用の輪ゴム３は、ユーザが指先で摘まむことにより、一端部と他端部をＵ形に折曲すれば、それぞれゴム線材３ａを２列に並列させた始端部３Ｓと終端部３Ｅを簡単容易に形成することができるので、これを保持体２に係脱自在に係止可能とするように構成することにより、本考案の結束具が提供される。
【００１５】
前記保持体２は、全体がプラスチックにより一体成形されており、ベースプレート４と、該ベースプレート４の表面側に台座部５を介して浮き上がり状態となるように連設された表示プレート６を備えている。表示プレート６の表面は、マスコットキャラクタ等の図形や商標等の文字や記号を任意に印刷表示するための印刷面６ａを提供する。
【００１６】
前記ベースプレート４は、輪ゴム３の始端部３Ｓを係脱自在に係止する始端係止手段７と、終端部３Ｅを係脱自在に係止する終端係止手段８を設けており、該ベースプレート４の裏面は、後述する支持面９を構成している。
【００１７】
第１実施形態の場合、ベースプレート４の左右方向の中央部に窓孔１０が開設されており、該窓孔１０の左右に位置して、それぞれ、始端係止手段７と、終端係止手段８が設けられている。
【００１８】
始端係止手段７は、ベースプレート４のプレート部に設けられ、窓孔１０に向けて突設された挿入係止部１１と、該挿入係止部１１の両側縁からそれぞれゴム線材３ａを嵌入させるように凹設された切欠き孔１２、１２により構成されている。切欠き孔１２は、ベースプレート４を貫通する孔部１２ａと、該孔部１２ａを挿入係止部１１の外部に向けて（第１実施形態の場合、前記窓孔１０に向けて）開口させる出入口１２ｂを備えており、出入口１２ｂの開口幅寸法を孔部１２ａの内径寸法よりも小さく形成している。つまり、孔部１２ａの出入口１２ｂが狭窄されている。
【００１９】
終端係止手段８は、ベースプレート４の表面側に立設されたフック片１３により構成されており、該フック片１３は、起立部１３ａと、該起立部１３ａの上端から張出す庇状のフランジ１３ｂを備えている。
【００２０】
（作用）
上記の保持体２と輪ゴム３を使用することにより、線状物品Ｍを束ねた状態で結束する方法を図２及び図３に示している。
【００２１】
先ず、図２（Ａ）に示すように、輪ゴム３の始端部３Ｓを保持体２の始端係止手段７に係止する。始端部３Ｓに形成されたゴム線材３ａのＵ形折曲部に挿入係止部１１を挿通させ、２列に並列されたゴム線材３ａをそれぞれ切欠き孔１２の出入口１２ｂから孔部１２ａに向けて嵌入すると、始端部３Ｓは遊動不能な状態で始端係止手段７に係止される。
【００２２】
そこで、ユーザの一方の手で保持体２を把持した状態で、他方の手で輪ゴム３のゴム線材３ａを伸長させながら、図２（Ｂ）に示すように、線状物品Ｍの外周に巻回させて結束する。
【００２３】
その後、図３（Ａ）に示すように、輪ゴム３の終端部３Ｅを保持体２の終端係止手段８に係止すれば、線状物品Ｍの結束作業が終了する。
【００２４】
この状態で、保持体２は、輪ゴム３の始端部３Ｓと終端部３Ｅにより、左右両側に向かう離反方向の引張力を受け、裏面の支持面９を線状物品Ｍの表面に圧接される。しかしながら、表示プレート６は、圧接力を受けないように解放されているので、疲労による劣化が防止されている。
【００２５】
線状物品Ｍを束ねた状態からばらすため結束を解除するときは、輪ゴム３の終端部３Ｅを保持体２の終端係止手段８から離脱させれば良く、これにより伸長されていたゴム線材３ａが収縮しながら線状物品Ｍの外周から自動的に離れるので、簡単容易に結束解除の作業を行うことができる。
【００２６】
そして、経年変化等により輪ゴム３が劣化したときは、家庭で調達可能な汎用の輪ゴムと交換するだけで、結束具として継続的に使用することができる。
【００２７】
（第２実施形態）
図４は、本考案の第２実施形態を示している。保持体２は、ベースプレート４から同一面の上で表示プレート６を延設している。
【００２８】
ベースプレート４は、表示プレート６に臨むプレート部分により挿入係止部１１を備え、該挿入係止部１１の両側縁に切欠き孔１２、１２を設けることにより、始端係止手段７を形成している。尚、切欠き孔１２は、孔部１２ａと出入口１２ｂを備え、出入口１２ｂの開口幅寸法を孔部１２ａの内径寸法よりも小さく形成している。
【００２９】
更に、ベースプレート４には、起立部１３ａと、該起立部１３ａの上端から張出すフランジ１３ｂを備えたフック片１３が立設され、これにより終端係止手段８を形成している。
【００３０】
第２実施形態においても、弾性紐手段１は、一般家庭で通常使用されている汎用の輪ゴム３により構成されている。
【００３１】
線状物品を束ねた状態で結束する際は、図４（Ｄ）に示すように、輪ゴム３の始端部３Ｓを保持体２の始端係止手段７に係止した状態で、該輪ゴム３を線状物品の外周に巻回した後、終端部３Ｅを保持体２の終端係止手段８に係止すれば良い。また、結束を解除する際は、輪ゴム３の終端部３Ｅを終端係止手段８から離脱させ、保持体２と共に輪ゴム３を線状物品から引き離せば良い。
【符号の説明】
【００３２】
Ｍ  線状物品
１  弾性紐手段
２  保持体
３  輪ゴム
３ａ  ゴム線材
３Ｓ  始端部
３Ｅ  終端部
４  ベースプレート
５  台座部
６  表示プレ−ト
６ａ  印刷面
７  始端係止手段
８  終端係止手段
９  支持面
１０  窓孔
１１  挿入係止部
１２  切欠き孔
１２ａ  孔部
１２ｂ  出入口
１３  フック片
１３ａ  起立部
１３ｂ  フランジ
【図１】
0003216975.tif 000003
【図２】
0003216975.tif 000004
【図３】
0003216975.tif 000005
【図４】
0003216975.tif 000006